(57)【特許請求の範囲】
【請求項１】
透明のケースに重ねて貼付するための透明ラベルと不透明ラベルとからなる一組のラベルセットを作成するラベル作成装置であって、
前記ラベルセットに印刷したい情報である印刷対象情報をラベルの印刷領域内に配置するための配置情報や、配置される印刷対象情報の修飾情報を含む印刷の雛型であるテンプレートを記憶したテンプレート記憶手段と、
前記テンプレート記憶手段に記憶された複数のテンプレートから使用するテンプレートを選択するテンプレート選択手段と、
前記テンプレート選択手段により選択されたテンプレートに従って、前記印刷対象情報を配置する配置手段と、
前記配置手段により配置された前記印刷対象情報のうち、前記透明ラベルに割り当てられた印刷対象情報を、前記ラベルセットのうち前記透明ラベルに鏡像印刷するように制御する鏡像印刷制御手段と、
前記鏡像印刷制御手段によって前記ラベルセットのうち前記透明ラベルに印刷がされた後、前記不透明ラベルへの印刷の準備を指示する指示手段と、
前記指示手段によって前記不透明ラベルへの印刷の準備が指示され、印刷の準備がされた後、前記配置手段により配置された前記印刷対象情報のうち、前記不透明ラベルに割り当てられた印刷対象情報を、前記ラベルセットのうち前記不透明ラベルに正像印刷するように制御する正像印刷制御手段と、
を備えたことを特徴とするラベル作成装置。
【請求項２】
前記配置手段により印刷対象情報を配置されたラベルを編集する編集手段と、
当該編集手段により編集されたラベルの配置情報や修飾情報を含む印刷の雛型をテンプレートとしてテンプレート記憶手段に登録するテンプレート登録手段とを備えたことを特徴とする請求項１に記載のラベル作成装置。
【請求項３】
前記透明ラベルと前記不透明ラベルとは、略同一の大きさであるか、又は、前記透明ラベルは前記不透明ラベルよりも小さいことを特徴とする請求項１又は２に記載のラベル作成装置。
【請求項４】
複数の前記ラベルセットを印刷する場合には、当該ラベルセットを構成するラベルの種類ごとにまとめて印刷を実行するよう制御する種類別印刷制御手段を備えたことを特徴とする請求項１乃至３のいずれかに記載のラベル作成装置。
【請求項５】
放送番組に関する情報である番組情報を受信する受信手段と、
当該受信手段により受信した番組情報を記憶する番組情報記憶手段と、
前記番組情報記憶手段に記憶された番組情報に対応する放送番組の中から、ラベルを作成する放送番組を指定する番組指定手段と、
当該番組指定手段により指定された放送番組についての番組情報を、前記番組情報記憶手段から取得する番組情報取得手段とを備え、
前記印刷対象情報は、前記番組情報取得手段により取得された番組情報であることを特徴とする請求項１乃至４のいずれかに記載のラベル作成装置。
【請求項６】
前記番組情報は、少なくとも前記放送番組のタイトルを含む複数の項目からなる情報であり、
前記配置手段は、前記番組情報の少なくとも一部の項目の情報を前記各ラベルの印刷領域内に配置することを特徴とする請求項５に記載のラベル作成装置。
【請求項７】
請求項１乃至６のいずれかに記載のラベル作成装置の各種処理手段としてコンピュータを機能させるためのラベル作成プログラム。
【請求項８】
請求項７に記載のラベル作成プログラムを記録したコンピュータ読取可能な記録媒体。
【発明の詳細な説明】
【技術分野】
【０００１】
本発明は、ラベル作成装置、ラベル作成プログラム及びラベル作成プログラムを記録したコンピュータ読取可能な記録媒体に関するものである。
【背景技術】
【０００２】
近年、ハードディスクレコーダやＤＶＤレコーダが普及し、放送番組を録画して視聴を楽しむことがさらに簡単に行なわれるようになっている。録画の際には、ＥＰＧ（Electronic Program Guide：電子番組表）を利用して録画したい番組の情報を取得し、予約を行なうこともできる。このようなＥＰＧは、放送番組と同様の地上波で送信されると共に、インターネットでも提供されている。最近では、テレビチューナー付きのパソコンも普及してきており、インターネットに接続しつつテレビ受信して録画することも広く行なわれている。
【０００３】
ところで、このように録画が非常に簡単に行えるようになると、録画情報が膨大になり、どの記録媒体になにを録画したかが整理されていないと、録画したものの後から見たい番組にたどり着くことが難しくなって、利便性を享受できなくなるという問題がある。そこで、録画予約や再生等のイベント発生時にラベルを印刷し、録画媒体に貼付したりするためのラベル作成（生成）装置が提案されている（例えば、特許文献１参照。）
【特許文献１】特開２００３−１３４４４７号公報
【発明の開示】
【発明が解決しようとする課題】
【０００４】
上記従来のラベル生成装置では、ＶＨＳテープ、８ミリテープといった記録媒体にあわせたラベルのテンプレートを用意し、ＥＰＧ等の番組表から取得した番組情報をこのテンプレートに流し込んでラベルを作成する。そして、指定されたタイミング（録画予約時、録画終了時、再生時等）で作成したラベルの印刷を行なう。
【０００５】
しかしながら、録画終了後に番組情報を参照してまとめてラベルを作成したいという場合には対応していなかった。また、ＤＶＤのような媒体用のラベルを作成する場合には、ケースの表にラベルを貼付すると貼付箇所だけが盛り上がってしまって不都合だったり、印字部分がこすれて消えやすくなる問題もあった。また、このような不具合を避けるために、ケースの裏だけにラベルを貼っていては、ケースを開けないとラベルが読めないので不便であった。
【０００６】
本発明は上記問題を解決するためになされたものであり、ケースの内側にのみ貼付するが表側からも読取可能なラベルを簡単に作成できるラベル作成装置、ラベル作成プログラム及び記録媒体を提供することを目的とする。
【課題を解決するための手段】
【０００７】
上記目的を達成するために、本発明の請求項１に記載のラベル作成装置は、透明のケースに重ねて貼付するための透明ラベルと不透明ラベルとからなる一組のラベルセットを作成するラベル作成装置であって、前記ラベルセットに印刷したい情報である印刷対象情報をラベルの印刷領域内に配置するための配置情報や、配置される印刷対象情報の修飾情報を含む印刷の雛型であるテンプレートを記憶したテンプレート記憶手段と、前記テンプレート記憶手段に記憶された複数のテンプレートから使用するテンプレートを選択するテンプレート選択手段と、前記テンプレート選択手段により選択されたテンプレートに従って、前記印刷対象情報を配置する配置手段と、前記配置手段により配置された前記印刷対象情報のうち、前記透明ラベルに割り当てられた印刷対象情報を、前記ラベルセットのうち前記透明ラベルに鏡像印刷するように制御する鏡像印刷制御手段と、前記鏡像印刷制御手段によって前記ラベルセットのうち前記透明ラベルに印刷がされた後、前記不透明ラベルへの印刷の準備を指示する指示手段と、前記指示手段によって前記不透明ラベルへの印刷の準備が指示され、印刷の準備がされた後、前記配置手段により配置された前記印刷対象情報のうち、前記不透明ラベルに割り当てられた印刷対象情報を、前記ラベルセットのうち前記不透明ラベルに正像印刷するように制御する正像印刷制御手段と、を備えたことを特徴とする。
【０００８】
ここで、本明細書で用いる「鏡像印刷」の用語は、印刷しようとする図柄や文字の鏡像を印刷基材に印刷し、印刷された面から見れば逆文字、逆図柄に見えるが、反対側の面から印刷基材を介在して見た際に実際に印刷しようとした文字、図柄に見える印刷の手法を意味する。以下、鏡像印刷を「ミラー印刷」ともいう。
【０００９】
【００１０】
また、本発明の請求項２に記載のラベル作成装置は、請求項１に記載の発明の構成に加え、前記配置手段により印刷対象情報を配置されたラベルを編集する編集手段と、当該編集手段により編集されたラベルの配置情報や修飾情報を含む印刷の雛型をテンプレートとしてテンプレート記憶手段に登録するテンプレート登録手段とを備えたことを特徴とする。
【００１１】
また、本発明の請求項３に記載のラベル作成装置は、請求項１又は２に記載の発明の構成に加え、前記透明ラベルと前記不透明ラベルとは、略同一の大きさであるか、又は、前記透明ラベルは前記不透明ラベルよりも小さいことを特徴とする。
【００１２】
また、本発明の請求項４に記載のラベル作成装置は、請求項１乃至３のいずれかに記載の発明の構成に加え、複数の前記ラベルセットを印刷する場合には、当該ラベルセットを構成するラベルの種類ごとにまとめて印刷を実行するよう制御する種類別印刷制御手段を備えたことを特徴とする。
【００１３】
また、本発明の請求項５に記載のラベル作成装置は、請求項１乃至４のいずれかに記載の発明の構成に加え、放送番組に関する情報である番組情報を受信する受信手段と、当該受信手段により受信した番組情報を記憶する番組情報記憶手段と、前記番組情報記憶手段に記憶された番組情報に対応する放送番組の中から、ラベルを作成する放送番組を指定する番組指定手段と、当該番組指定手段により指定された放送番組についての番組情報を、前記番組情報記憶手段から取得する番組情報取得手段とを備え、前記印刷対象情報は、前記番組情報取得手段により取得された番組情報であることを特徴とする。
【００１４】
また、本発明の請求項６に記載のラベル作成装置は、請求項５に記載の発明の構成に加え、前記番組情報が、少なくとも前記放送番組のタイトルを含む複数の項目からなる情報であり、前記配置手段は、前記番組情報の少なくとも一部の項目の情報を前記各ラベルの印刷領域内に配置することを特徴とする。
【００１５】
また、本発明の請求項７に記載のラベル作成プログラムは、請求項１乃至６のいずれかに記載の発明の各種処理手段としてコンピュータを機能させる。
【００１６】
また、本発明の請求項８に記載の記録媒体は、請求項７に記載の発明のラベル作成プログラムを記録している。
【発明の効果】
【００１７】
本発明の請求項１に記載のラベル作成装置は、ＤＶＤやＣＤケースのような透明のケースの表面にラベルを貼るのでなく、裏面から鏡像印刷した透明ラベルを貼って読みとれるようにする。このようなラベルであれば、表面にラベルを貼らなくてよいので、ラベルが他のものにあたって印字部分がこすれたために不鮮明になることがない。さらに、通常印刷した不透明ラベルも作成するので、これを透明ラベルに重ねて貼ることができ、ケースを開けたときの見栄えもよく、ラベル１枚のみを印刷するよりも多くの情報を盛り込むことができる。また、透明ラベルと不透明ラベルのラベルセット用の専用テンプレートを用意しておけば、さらに簡単に、透明ラベルと不透明ラベルとからなるラベルを作成できる。
【００１８】
【００１９】
また、本発明の請求項２に記載のラベル作成装置は、請求項１に記載の発明の効果に加え、テンプレートに従って一旦作成されたラベルを使用者が編集し、その結果をテンプレートとして登録しておくことができるので、好みの雛型を次回から用いることができ、手間を省いて好みにあったラベルを作成することができる。
【００２０】
また、本発明の請求項３に記載のラベル作成装置は、請求項１又は２に記載の発明の効果に加え、透明ラベルと不透明ラベルとを略同じ大きさか、透明ラベルを不透明ラベルよりも小さくすれば、貼ったときに透明ラベルに印刷された内容が裏側から見えないので、見栄えのよい仕上がりを得ることができる。
【００２１】
また、本発明の請求項４に記載のラベル作成装置は、請求項１乃至３のいずれかに記載の発明の効果に加え、不透明ラベルと透明ラベルをそれぞれまとめて印刷するので、被印字媒体の交換回数を最小限に抑えてより早く印刷を完了することができる。
【００２２】
また、本発明の請求項５に記載のラベル作成装置は、請求項１乃至４のいずれかに記載の発明の効果に加え、受信手段が受信した番組情報、例えば、ＥＰＧデータ等を番組情報記憶手段に記憶し、記憶されている番組情報の中からラベルを作成したい番組を番組指定手段により指定し、番組情報を用いてラベルを作成する。例えば、透明ラベルには、外から一目見てわかりやすいように、タイトルを、不透明ラベルには、ケースを開いてから確認したい、サブタイトルや録画時間、出演者などの詳細情報を印刷することができる。
【００２３】
また、本発明の請求項６に記載のラベル作成装置は、請求項５に記載の発明の効果に加え、番組情報が、少なくとも放送番組のタイトルを含む複数の項目からなっているので、例えば、タイトル、サブタイトル、出演者、放送日、放送時間等の番組情報から任意の情報を選択してラベルを作成することができる。
【００２４】
また、本発明の請求項７に記載のラベル作成プログラムは、コンピュータに実行させることにより、請求項１乃至６のいずれかに記載の発明の各種処理手段としての作用効果を奏することができる。
【００２５】
また、本発明の請求項８に記載の記録媒体をコンピュータに読み取らせ、実行させることにより、請求項７に記載の発明の各種処理手段としての作用効果を奏することができる。
【発明を実施するための最良の形態】
【００２６】
以下、本発明の実施の形態を図面を参照して説明する。以下では、本発明に係るラベル作成装置１として、プリンタに接続したパーソナルコンピュータを例に挙げて説明する。このパーソナルコンピュータには本発明に係る「ラベル作成プログラム」が搭載されている。まず、図１を参照して、ラベル作成装置１について説明する。図１は、ラベル作成装置１の電気的構成を示すブロック図である。
【００２７】
図１に示すように、ラベル作成装置１は、いわゆるテレビパソコンと称されるテレビ放送受信用のチューナーを備えたパーソナルコンピュータに入出力のための周辺機器が接続されて構成されている。ラベル作成装置１には、パーソナルコンピュータの制御を司るＣＰＵ１０が設けられている。このＣＰＵ１０には、ＣＰＵ１０が実行するＢＩＯＳ等のプログラムを記憶したＲＯＭ１１と、データを一時的に記憶するＲＡＭ１２と、データの記憶装置であるハードディスク１３とが、バス１９を介して接続されている。
【００２８】
ハードディスク１３には、ラベル作成プログラムを始めとするラベル作成装置１で実行される各種のプログラムを記憶するプログラム記憶エリア１４、番組情報を蓄積するＥＰＧ情報データベース（ＤＢ）１５、個々の印刷対象情報を印刷領域上にどのような大きさ・フォントでどの位置に配置するか等の印刷の雛型としての情報を予め記憶したテンプレート（詳細後述）の集合体であるテンプレート記憶エリア１６、録画された放送番組データとＥＰＧ情報ＤＢ１５内の番組情報との関連付けを記憶する関連付け情報記憶エリア１７等が設けられている。尚、ＥＰＧ情報ＤＢ１５が本発明の番組情報記憶手段に、テンプレート記憶エリア１６が本発明のテンプレート記憶手段に相当する。
【００２９】
また、ＣＰＵ１０には、バス１９を介して、テレビ放送をアンテナ２０を経由して受信するためのチューナー２１が接続され、チューナー２１で受信した放送データは、アナログ変調部２２、映像音声出力部２３を経て、モニタ（画面）／スピーカ２４に映像出力及び音声出力される。このようにチューナー２１により受信した映像及び音声データは、ビデオレコーダコントローラ３１を介して接続されているビデオレコーダ３２により、ハードディスク（ＨＤＤ）やＤＶＤに録画することができる。ラベル作成装置１は、リモコン２６により遠隔操作することも可能に構成されており、このリモコン２６からの信号を受信するためのリモコン受信部２７もバス１９を介してＣＰＵ１０に接続されている。また、チューナー２１には、受信したデータを検出してＣＰＵ１０に出力するデータ検出部２５が接続されている。尚、ビデオレコーダ３２が、本発明の録画手段に相当する。
【００３０】
さらに、ＣＰＵ１０には、バス１９を介して、利用者が操作の入力を行うキーボード（Ｋ／Ｂ）４１に接続され、入力の制御を行なうキーボード（Ｋ／Ｂ）コントローラ４２、作成したラベルを印刷するプリンタ６２に接続され、その制御を行なうプリンタコントローラ６１、インターネット５０に接続するためのインターネットコントローラ５１が接続されている。尚、インターネットコントローラ５１が、本発明の受信手段に相当する。
【００３１】
ここで、本実施形態では、プリンタ６２として、長尺状のテープに印刷を行なうテーププリンタを用いている。プリンタ６２は、内部にテープカセットを着脱可能に装着し、複数の発熱素子を有するサーマルヘッドとそのサーマルヘッドに当接されるプラテンローラとの間にテープを走行させてそのテープ状に印刷する印刷機構が設けられている。装着されたテープカセットのテープは、印刷機構で印刷され、印刷機構に装備されたテープカッタにより切断されて排出口から排出される。プリンタ６２における印刷の際は、指定された種類とテープ幅に対応するテープカセットを使用者が装着する。プリンタ６２のテープカセット収納部には、装着されたテープカセットのテープ種類（透明テープか不透明テープか）とテープ幅を検出するためのセンサからなる検出部が設けられ、各テープカセットの、検出部に対向する位置には、内蔵するテープの種類とテープ幅を示す識別孔が開けられ、検出部で検出可能になっている。
【００３２】
本実施形態においては、放送番組のタイトルや放送時間、チャンネル、出演者等の番組情報を提供しているＥＰＧデータをインターネット５０から取得し、加工してハードディスク１３内のＥＰＧ情報ＤＢ１５に蓄積している。ＥＰＧデータは、インターネット５０上に提供されているものに限らず、放送データと共にチューナー２１で受信して取り出すようにしてもよい。その場合には、チューナー２１が本発明の受信手段となる。
【００３３】
次に、以上の構成のラベル作成装置１で実行される処理について図２〜図７を参照して説明する。図２は、ラベル作成処理の全体の流れを示すフローチャートである。図３は、ラベル作成処理の中で実行される、録画予約処理のフローチャートである。図４は、媒体記録処理及び録画処理のフローチャートである。図５は、ラベル作成処理の中で実行される、録画済用ラベル作成処理のフローチャートである。図６は、ラベル作成処理の中で実行される、データ加工編集処理のフローチャートである。図７は、ラベル作成処理の中で実行される、印刷処理のフローチャートである。
【００３４】
図２に示すように、ラベル作成処理が開始されると、まず、録画を予約するか否かを判断する（Ｓ１）。録画を予約する場合には（Ｓ１：ＹＥＳ）、まず、インターネット５０からＥＰＧデータ（いわゆるｉＥＰＧデータ）を取得する（Ｓ２）。そして、取得したＥＰＧデータを画面表示する（Ｓ３）。ＥＰＧデータが表示されたら、録画予約を受け付けて予約した放送番組のＥＰＧデータをＥＰＧ情報ＤＢ１５に蓄積する録画予約処理を実行する（Ｓ４）。録画予約処理の詳細については図３を参照して後述する。
【００３５】
録画予約処理が終了したら、予約した番組についてすぐにラベルを作成して印刷するか否かを判断する（Ｓ５）。すぐにはラベルを作成しない場合には（Ｓ５：ＮＯ）、ラベル作成処理を終了する。すぐにラベルを作成して印刷する場合には（Ｓ５：ＹＥＳ）、録画予約処理でＥＰＧ情報ＤＢ１５に記憶した予約番組のＥＰＧ情報を取得し（Ｓ６）、Ｓ９に進む。
【００３６】
一方、録画予約でない場合は（Ｓ１：ＮＯ）、既に録画されているデータのためのラベルの作成か否かを判断する（Ｓ７）。録画済データのためのラベル作成でない場合は（Ｓ７：ＮＯ）、ラベル作成処理を終了する。録画済データのためのラベル作成を行なう場合は（Ｓ７：ＹＥＳ）、録画予約時にＥＰＧ情報ＤＢ１５に記憶され、蓄積されているＥＰＧ情報を用いて録画データ用のラベルを作成する録画済用ラベル作成処理を実行する（Ｓ８）。録画済用ラベル作成処理の詳細については図５を参照して後述する。
【００３７】
録画予約した番組のラベルをすぐに作成する場合で（Ｓ５：ＹＥＳ）、その予約番組のＥＰＧ情報を取得した後（Ｓ６）及び、録画済用のラベル作成で用いるＥＰＧ情報を取り出した後（Ｓ８）、ラベル作成対象となるデータの加工編集処理を実行してデータをラベルの印刷領域に配置し（Ｓ９）、その印刷データに基づいてプリンタで印刷を実行させる印刷処理を行って処理を終了する（Ｓ１０）。データ加工編集処理の詳細については図６を参照して、印刷処理の詳細については図７を参照して後述する。
【００３８】
次に、図３を参照して、録画予約処理について説明する。まず、表示されている番組情報を見た操作者のキーボード４１やマウス（図示外）からの入力を受け付ける（Ｓ２１）。そして、その入力内容がカーソルの移動やスクロールか否かを判断する（Ｓ２２）。カーソル移動やスクロールの場合には（Ｓ２２：ＹＥＳ）、対応する移動処理を行ない（Ｓ２３）、入力受付に戻る（Ｓ２１）。
【００３９】
カーソル移動やスクロールでない場合は（Ｓ２２：ＮＯ）、予約したい番組の選択が入力指示されたか否かを判断する（Ｓ２４）。番組選択の場合は（Ｓ２４：ＹＥＳ）、選択用の画面を表示し（Ｓ２５）、録画予約を受け付ける（Ｓ２６）。そして、予約された番組のＥＰＧ情報をＥＰＧ情報ＤＢ１５に追加して保存する（Ｓ２７）。ここで、録画予約した番組についてすぐにラベル作成を行なうこともできるので、そのために、予約した番組をラベル作成すべき対象の番組として一時的にＲＡＭ１２に記憶しておく（Ｓ２８）。そして、ビデオレコーダ３２に録画予約指令を送信し（Ｓ２９）、図２のラベル作成処理に戻る。
【００４０】
一方、番組選択でなかった場合には（Ｓ２４：ＮＯ）、キャンセル指示であるか否かを判断する（Ｓ３０）。キャンセル指示の場合には（Ｓ３０：ＹＥＳ）、キャンセル処理を実行し（Ｓ３１）、ラベル作成全体の処理を終了する。キャンセル指示でない場合には（Ｓ３０：ＮＯ）、録画予約に関するその他の処理を実行し（Ｓ３２）、Ｓ２１の入力受付に戻る。
【００４１】
ここで、ビデオレコーダ３２で実行される、録画予約指令に基づく録画処理、及び、操作者の入力指示によりハードディスクに録画された録画データをＤＶＤに記録する媒体記録処理について、図４を参照して説明する。まず、録画済データをＤＶＤに記録する指示が入力されたか否かを判断する（Ｓ２０１）。ＤＶＤへの記録でなければ（Ｓ２０１：ＮＯ）、そのままＳ２０４に進む。ＤＶＤへの記録であれば（Ｓ２０１：ＹＥＳ）、選択された録画済データを装着されたＤＶＤに記録する（Ｓ２０２）。そして、その録画済データに関連付けられているＥＰＧ情報をＥＰＧ情報ＤＢ１５から読み出してＤＶＤに記録する（Ｓ２０３）。このようにＤＶＤにＥＰＧ情報を記録しておけば、ＤＶＤ内の録画番組についてのラベル作成をする際に、対応するＥＰＧ情報の取得を高速に行なうことができる。
【００４２】
次に、録画予約指令を受信したか否かを判断する（Ｓ２０４）。新たな録画予約指令を受け取っていなければ（Ｓ２０４：ＮＯ）、そのままＳ２０６に進む。
【００４３】
録画予約指令を受信している場合には（Ｓ２０４：ＹＥＳ）、その予約内容を記憶する（Ｓ２０５）。そして、記憶されている予約指令で指定された日時が到来しているか否かを判断する（Ｓ２０６）。指定日時が到来していなければ（Ｓ２０６：ＮＯ）、Ｓ２０１に戻る。指定日時が到来している場合には（Ｓ２０６：ＹＥＳ）、該当の録画予約指令に従って録画を実行する（Ｓ２０７）。そして、ＥＰＧ情報ＤＢ１５内の対応するＥＰＧ情報と関連付けを行ない（Ｓ２０８）、Ｓ２０１に戻って以上の処理を繰り返す。ここで、録画データとＥＰＧ情報の関連付けは、相互を対応づけたテーブルを関連付け情報記憶エリア１７に記憶させることにより行なう。尚、録画データとＥＰＧ情報が相互に対応するようになっていればよく、ＥＰＧ情報ＤＢ１５内に直接録画データを示すフラグを記憶させるような構成でも構わない。
【００４４】
次に、図５を参照して、録画済用ラベル作成処理について説明する。まず、ＤＶＤに貼付するためのラベルの作成が指示されたか否かを判断する（Ｓ４１）。ＤＶＤ用ラベルの作成の場合には（Ｓ４１：ＹＥＳ）、ＤＶＤがＤＶＤドライブに挿入されているか否かを判断する（Ｓ４２）。挿入されていない場合には（Ｓ４２：ＮＯ）、ＤＶＤの挿入指示を画面に表示し（Ｓ４３）、Ｓ４２に戻って再びＤＶＤの挿入を検出する。
【００４５】
ＤＶＤの挿入が検出されたら（Ｓ４２：ＹＥＳ）、そのＤＶＤの中にＥＰＧ情報が記憶されているか否かを判断する（Ｓ４４）。ＤＶＤ内にＥＰＧ情報が記憶されていれば（Ｓ４４：ＹＥＳ）、録画情報と関連付けられているＥＰＧ情報をＤＶＤ内で検索する（Ｓ４５）。そして、検索の結果、関連付けられたＥＰＧ情報が発見されたか否かを判断する（Ｓ４６）。発見された場合には（Ｓ４６：ＹＥＳ）、Ｓ６０へ進んでそのＥＰＧ情報をラベル作成する番組として選択するか否かを判断する。
【００４６】
発見されなかった場合（Ｓ４６：ＮＯ）、又は、ＤＶＤ内にＥＰＧ情報が記憶されていなかった場合は（Ｓ４４：ＮＯ）、ＥＰＧ情報ＤＢ１５から録画情報と関連付けられているＥＰＧ情報を検索する（Ｓ４７）。そして、ＥＰＧ情報ＤＢ１５の検索の結果、関連付けられたＥＰＧ情報が発見されたか否かを判断する（Ｓ４８）。発見された場合には（Ｓ４８：ＹＥＳ）、そのＥＰＧ情報をラベル作成する番組として選択するか否かを判断する（Ｓ６０）。Ｓ６０で作成対象番組が選択された場合には（Ｓ６０：ＹＥＳ）、その番組を選択番組としてＲＡＭ１２に記憶し（Ｓ６１）、該当番組のＥＰＧ情報をＥＰＧ情報ＤＢ１５から取り出す（Ｓ６２）。そして、図２のラベル作成処理に戻る。ここで、ラベル作成対象となる番組は、複数個選択することができ、一度に同形のラベルを作成可能となっている。
【００４７】
また、ＥＰＧ情報ＤＢ１５にＤＶＤ内の録画情報と関連付けられたＥＰＧ情報が発見されなかった場合には（Ｓ４８：ＮＯ）、ＥＰＧ情報ＤＢ１５内のＥＰＧ情報で録画情報と対応すると考えられるものを検索する（Ｓ５４）。例えば、タイトルや、放送時間、チャンネル等の項目情報を用いてマッチングすれば、対応するＥＰＧ情報が見つかる可能性が高い。マッチングの結果、対応するＥＰＧ情報の候補が見つかったかを判断し（Ｓ５５）、発見されなかった場合は（Ｓ５５：ＮＯ）、そのままＳ５７に進み、使用者に手動で入力させる。対応するＥＰＧ情報の候補が発見された場合には（Ｓ５５：ＹＥＳ）、その候補を一覧表示し（Ｓ５６）、操作者に録画情報と対応しているかどうかを入力させる（Ｓ５７）。そして、そのＥＰＧ情報をラベル作成する番組として選択するか否かを判断する（Ｓ５８）。受け付けた入力により、候補からいずれかのＥＰＧ情報が選択された場合には（Ｓ５８：ＹＥＳ）、その番組を選択番組としてＲＡＭ１２に記憶し（Ｓ６１）、該当番組のＥＰＧ情報をＥＰＧ情報ＤＢ１５から取り出す（Ｓ６２）。そして、図２のラベル作成処理に戻る。
【００４８】
選択されなかった場合には（Ｓ５８：ＮＯ）、対応するＥＰＧ情報が候補の中にはないということなので、ＤＢの中から操作者が任意に検索をかけて対応するＥＰＧ情報を選択できるように一覧表示・検索画面を表示する（Ｓ５９）。そして、操作者からＥＰＧ情報が選択されるのを待ち、選択されたら（６０：ＹＥＳ）、その番組を選択番組としてＲＡＭ１２に記憶し（Ｓ６１）、該当番組のＥＰＧ情報をＥＰＧ情報ＤＢ１５から取り出す（Ｓ６２）。そして、図２のラベル作成処理に戻る。ここでも、ラベル作成対象となる番組は、複数個選択することができ、一度に同形のラベルを作成可能となっている。
【００４９】
また、選択されない場合には（Ｓ６０：ＮＯ）、キャンセル指示があったか否かを判断し（Ｓ６３）、キャンセルされた場合には（Ｓ６３：ＹＥＳ）、ラベル作成処理全体を終了する。キャンセル指示でない場合には（Ｓ６３：ＮＯ）、Ｓ６０に戻って選択されるのを待つ。
【００５０】
一方、ＤＶＤ用ラベルの作成でない場合には（Ｓ４１：ＮＯ）、ＥＰＧ情報ＤＢ１５にＥＰＧ情報が記憶されているか否かを判断する（Ｓ５１）。ＥＰＧ情報ＤＢ１５にＥＰＧ情報が記憶されていない場合には（Ｓ５１：ＮＯ）、ラベル作成はできないため、エラー処理をして（Ｓ６４）、処理全体を終了する。
【００５１】
ＥＰＧ情報ＤＢ１５にＥＰＧ情報が記憶されている場合には（Ｓ５１：ＹＥＳ）、ＥＰＧ情報ＤＢ１５から録画情報と関連付けられているＥＰＧ情報を検索する（Ｓ５２）。そして、ＥＰＧ情報ＤＢ１５の検索の結果、関連付けられたＥＰＧ情報が発見されたか否かを判断する（Ｓ５３）。発見された場合には（Ｓ５３：ＹＥＳ）、Ｓ５７へ進んで、操作者の入力を受け付け、その結果、そのＥＰＧ情報をラベル作成する番組として選択されたか否かを判断する（Ｓ５８）。受け付けた入力により、候補からいずれかのＥＰＧ情報が選択された場合には（Ｓ５８：ＹＥＳ）、その番組を選択番組としてＲＡＭ１２に記憶し（Ｓ６１）、該当番組のＥＰＧ情報をＥＰＧ情報ＤＢ１５から取り出す（Ｓ６２）。そして、図２のラベル作成処理に戻る。
【００５２】
ＥＰＧ情報ＤＢ１５にＤＶＤ内の録画情報と関連付けられたＥＰＧ情報が発見されなかった場合には（Ｓ５３：ＮＯ）、ＥＰＧ情報ＤＢ１５内のＥＰＧ情報で録画情報と対応すると考えられるものを検索する（Ｓ５４）。例えば、タイトルや、放送時間、チャンネル等の項目情報を用いてマッチングすれば、対応するＥＰＧ情報が見つかる可能性が高い。マッチングの結果、対応するＥＰＧ情報の候補が見つかったかを判断し（Ｓ５５）、発見されなかった場合は（Ｓ５５：ＮＯ）、そのままＳ５７に進み、使用者に手動で入力させる。対応するＥＰＧ情報の候補が発見された場合には（Ｓ５５：ＹＥＳ）、その候補を一覧表示し（Ｓ５６）、操作者に録画情報と対応しているかどうかを入力させる（Ｓ５７）。受け付けた入力により、候補からいずれかのＥＰＧ情報が選択された場合には（Ｓ５８：ＹＥＳ）、その番組を選択番組としてＲＡＭ１２に記憶し（Ｓ６１）、該当番組のＥＰＧ情報をＥＰＧ情報ＤＢ１５から取り出す（Ｓ６２）。そして、図２のラベル作成処理に戻る。
【００５３】
選択されなかった場合には（Ｓ５８：ＮＯ）、対応するＥＰＧ情報が候補の中にはないということなので、ＤＢの中から操作者が任意に検索をかけて対応するＥＰＧ情報を選択できるように一覧表示・検索画面を表示する（Ｓ５９）。そして、操作者からＥＰＧ情報が選択されるのを待ち、選択されたら（６０：ＹＥＳ）、その番組を選択番組としてＲＡＭ１２に記憶し（Ｓ６１）、該当番組のＥＰＧ情報をＤＢから取り出す（Ｓ６２）。そして、図２のラベル作成処理に戻る。ここでも、ラベル作成対象となる番組は、複数個選択することができ、一度に同型のラベルを作成可能となっている。
【００５４】
また、選択されない場合には（Ｓ６０：ＮＯ）、キャンセル指示があったか否かを判断し（Ｓ６３）、キャンセルされた場合には（Ｓ６３：ＹＥＳ）、ラベル作成処理全体を終了する。キャンセル指示でない場合には（Ｓ６３：ＮＯ）、Ｓ６０に戻って選択されるのを待つ。
【００５５】
次に、図６、図８〜図１０を参照して、ラベル作成処理の中で実行される、データ加工編集処理について説明する。図８は、テンプレートを用いて複数番組、複数ラベルセットの配置処理を行なう場合の処理画面のイメージ図である。図９は、配置処理後のラベルの出来上がりを示すイメージ図である。図１０は、テンプレートを用いない場合の配置処理画面のイメージ図である。
【００５６】
データ加工編集処理では、まず、ラベル作成対象として選択されている番組について、ＥＰＧ情報ＤＢ１５から取得したＥＰＧ情報を、内部処理のしやすい形式に変換する（Ｓ７１）。例えば、テキストデータで受信したＥＰＧ情報を表形式に変換しておくようにデータ整備を行なう。次に、テンプレートを用いてラベルを作成するか否かを判断する（Ｓ７２）。これは、操作者が、テンプレート選択コマンドを入力したか否か等により判断できる。
【００５７】
テンプレートを用いる場合には（Ｓ７２：ＹＥＳ）、選択されている番組のＥＰＧ情報の内容とともに使用できるテンプレートの一覧を表示する（Ｓ７３）。例えば、図８に示すように、配置画面１００の左画面１１０に、ＥＰＧ情報１１１を表示し、右画面１２０に、透明ラベルと不透明ラベル１枚ずつで構成されるラベルセットのテンプレート１３０、１４０・・・を表示する。使用者はテンプレートの番号をマウスでクリックする等でテンプレートの選択が可能である。
【００５８】
ここで、テンプレート１３０は、透明ラベル１３１と不透明ラベル１３２とから構成され、透明ラベル１３１には、タイトル情報、サブタイトル情報、日付情報、チャンネル情報が配置される。また、不透明ラベル１３２には、録画長情報、出演者情報が配置される。また、テンプレート１４０は、透明ラベル１４１と不透明ラベル１４２とから構成され、透明ラベル１４１にはタイトル情報、日付情報、録画長情報が配置され、不透明ラベル１４２には、サブタイトル情報と出演者情報が配置される。このように、ケースの表面に向けて貼付し、ケースを閉じた状態で看取できる透明ラベル１３１，１４１には、概略がわかる情報を比較的大きなフォントで配置するように、ケースを開いてはじめて見ることができる不透明ラベル１３２，１４２には、詳細情報を比較的小さなフォントで配置するようなテンプレートを用意しておけば、ＤＶＤのような数多くある媒体の整理に役立つラベルセットを簡単に作成することができる。
【００５９】
尚、上記の透明ラベル１３１、１４１に配置された内容は、印刷データ送信時に反転されて鏡像印刷（ミラー印刷）が実行される（後述）。
【００６０】
次に、操作者がテンプレート選択入力をしてくるのを受け付け（Ｓ７４）、選択されたテンプレートを適用して情報内容をラベルの印刷領域内に配置する（Ｓ７５）。例えば、図８のテンプレート１３０をＥＰＧ情報１１１に適用すると、図９に示すように、透明ラベル３１０と不透明ラベル３２０とが作成され、表示される。
【００６１】
一方、テンプレートを使わずにラベルを作成する場合には（Ｓ７２：ＮＯ）、まず、作成したいラベルのサイズの選択を促し、入力を受け付ける（Ｓ７６）。ここで、ケース貼付時に見栄えのよいラベルを作成するためには、不透明ラベルと透明ラベルとが同じ大きさであるか、透明ラベルの方が小さい方が好ましい。そこで、選択されたラベルサイズをチェックして、透明ラベルの方が不透明ラベルよりも大きい場合には、確認メッセージを出したり、再度選択をやりなおさせたりするようにしてもよい。
【００６２】
ラベルサイズが選択されたら、選択されている番組のＥＰＧ情報の内容とともに、選択された幅のラベルイメージを画面上に表示する（Ｓ７７）。例えば、図１０に示すように、配置画面２００の左画面２１０にＥＰＧ情報２１５を、右画面２２０に透明ラベル２２１と、不透明ラベル２２２の印刷イメージを表示する。
【００６３】
そして、使用者がドラッグアンドドロップ操作で所望の項目のＥＰＧ情報をラベルの印刷領域内に配置するのを受け付ける（Ｓ７８）。ここでは、ドラッグアンドドロップ操作を受けて、ドラッグ元の内容が、ドロップ先の透明ラベル２２１、不透明ラベル２２２内に挿入され、表示されるようになっている。図１０の例では、タイトル情報、サブタイトル情報、日付情報が透明ラベル２２１に、出演者情報が不透明ラベル２２２にドロップされて挿入されて作成されている。フォントの大きさや修飾、位置の調整等は、Ｓ７９以降で編集することもできる。
【００６４】
以上により、テンプレートを用いる場合にも用いない場合にも、ラベル内に番組情報が配置されてラベルイメージが画面上に表示されたので、配置されたラベルに対して操作者の編集を受け付ける（Ｓ７９）。このように、テンプレートは固定的なものではなく、適用された状態から自由に編集を行なうことができる。編集が終了するまで（Ｓ８０：ＮＯ）、入力を受け付け（Ｓ７９）、編集が終了したら（Ｓ８０：ＹＥＳ）、編集した結果の修飾情報、配置情報等を次回以降印刷の雛型として用いることができるように、テンプレート登録をするか否かを判断する（Ｓ８１）。テンプレート登録は、操作者の任意で選択できるように入力用のダイアログボックスを用意する等の方法で問い合わせることができる。
【００６５】
テンプレート登録する場合には（Ｓ８１：ＹＥＳ）、現在の状態をテンプレートとしてテンプレート記憶エリア１６に記憶させて登録する（Ｓ８２）。また、テンプレート登録を行なわない場合には（Ｓ８１：ＮＯ）、そのままＳ８３に進む。そして、さらに編集を行うか否かを操作者からの入力により判断し（Ｓ８３）、編集を継続する場合には（Ｓ８３：ＹＥＳ）。Ｓ７９に戻る。編集を終了する場合には（Ｓ８３：ＮＯ）、図２のラベル作成処理に戻る。
【００６６】
次に、図７を参照して、ラベル作成処理で実行される印刷処理について説明する。まず、印刷を透明テープ、次いで不透明テープの順に行なうために、透明テープの装着を指示する（Ｓ９０）。次に、作成したラベルのテープ幅、及び、テーププリンタに装着されているテープのテープ種類とテープ幅についての情報を取得する（Ｓ９１）。
【００６７】
次に、装着されているテープのテープ種類とテープ幅が作成されたラベルのテープ種類・テープ幅とあっているか否かを判断する（Ｓ９２）。テープ種類やテープ幅が合っていなかった場合には（Ｓ９２：ＮＯ）、正しいテープ種類・テープ幅のテープカセットを装着するように指示を表示する（Ｓ９５）。そして、Ｓ９１に戻る。テープ種類・テープ幅が合っている場合には（Ｓ９２：ＹＥＳ）、プリンタ６２にそのラベルの印刷データを送信して印刷を指示する（Ｓ９３）。
【００６８】
ここで、透明テープの場合は、ケースの裏側から貼付して表面から読めるように印刷するため、鏡像印刷を行なう。従って、通常と反転させた印刷データをプリンタ６２に送信する。このように印刷データを反転することで、プリンタ６２に特別な機構を設けなくても鏡像印刷を実行することができる。
【００６９】
そして、印刷指示を行なったラベルがそのテープ種類（透明テープ又は不透明テープ）の最終枚目であったか否かを判断する（Ｓ９４）。最終枚目でなければ（Ｓ９４：ＮＯ）、Ｓ９３に戻り、次のラベルについての印刷データをプリンタ６２に送信して印刷を指示する。最終枚目の場合には（Ｓ９４：ＹＥＳ）、これまでの処理で不透明テープの印刷が終了したか否かを判断する（Ｓ９６）。不透明テープの印刷が終了していなければ（Ｓ９６：ＮＯ）、いま、透明テープの印刷が完了したので、次に、不透明テープの装着を指示する（Ｓ９７）。そして、Ｓ９１に戻る。
【００７０】
不透明テープが正しく装着され、かつ、正しいテープ幅のテープが装着されていれば（Ｓ９２：ＹＥＳ）、正像印刷のために通常の印刷データをプリンタ６２に送信して印刷を指示する（Ｓ９３）。そして、不透明テープの最終枚目のラベルであったか否かを判断し（Ｓ９４）、最終枚目であれば（Ｓ９４：ＹＥＳ）、不透明テープの印刷が終了したので（Ｓ９６：ＹＥＳ）、図２のラベル作成処理に戻る。
【００７１】
尚、図６のＳ７５及びＳ７８でＥＰＧ情報の内容をラベルに配置するＣＰＵ１０が本発明の配置手段として機能する。また、図７のＳ９３で、透明テープの場合に反転した印刷データを送信するＣＰＵ１０が本発明の鏡像印刷制御手段として、不透明テープの場合に通常通りの印刷データを送信するＣＰＵ１０が本発明の正像印刷制御手段として機能する。図６のＳ７４で操作者からの入力を受けてテンプレートを選択するＣＰＵ１０が本発明のテンプレート選択手段として機能する。また、図６のＳ７９で編集入力受付処理を実行するＣＰＵ１０が本発明の編集手段として機能する。また、図６のＳ８２でテンプレート登録処理を実行するＣＰＵ１０が本発明のテンプレート登録手段として機能する。また、図７のＳ９１でテープ種類と幅を検出してから、その種類の最終枚目までＳ９３で印刷データを送信するＣＰＵ１０が本発明の種類別印刷制御手段として機能する。さらに、図５のＳ６１で選択番組を記憶するＣＰＵ１０が本発明の番組指定手段として機能し、図２のＳ６及び図５のＳ６２でＥＰＧ情報を取得するＣＰＵ１０が本発明の番組情報取得手段として機能する。
【００７２】
尚、上記実施形態では、ＤＶＤケースに貼付するためのラベルセットをＥＰＧデータに基づいて作成する場合を例に説明したが、透明ラベルと不透明ラベルから構成されるラベルセットは、もちろんこのような番組情報ラベルのみに使用されるものに限られない。開閉する透明のケースに貼付するものであれば、ＣＤやＣＤ−ＲＯＭのケース、透明なファイル等、種々のものに貼付するために作成することができる。
【図面の簡単な説明】
【００７３】
【図１】ラベル作成装置１の電気的構成を示すブロック図である。
【図２】ラベル作成処理の全体の流れを示すフローチャートである。
【図３】ラベル作成処理の中で実行される、録画予約処理のフローチャートである。
【図４】媒体記録処理及び録画処理のフローチャートである。
【図５】ラベル作成処理の中で実行される、録画済用ラベル作成処理のフローチャー    トである。
【図６】ラベル作成処理の中で実行される、データ加工編集処理のフローチャートで    ある。
【図７】ラベル作成処理の中で実行される、印刷処理のフローチャートである。
【図８】テンプレートを用いて複数番組、複数ラベルセットの配置処理を行なう場合    の処理画面のイメージ図である。
【図９】配置処理後のラベルの出来上がりを示すイメージ図である。
【図１０】テンプレートを用いない場合の配置処理画面のイメージ図である。
【符号の説明】
【００７４】
１      ラベル作成装置
１０      ＣＰＵ
１３      ハードディスク
１４      プログラム記憶エリア
１５      ＥＰＧ情報データベース
１６      テンプレート記憶エリア
１７      関連付け情報記憶エリア
２０      アンテナ
２１      チューナー
３１      ビデオレコーダコントローラ
３２      ビデオレコーダ
５１      インターネットコントローラ
６１      プリンタコントローラ
６２      プリンタ
【図１】
0004609211.tif 000002
【図２】
0004609211.tif 000003
【図３】
0004609211.tif 000004
【図４】
0004609211.tif 000005
【図５】
0004609211.tif 000006
【図６】
0004609211.tif 000007
【図７】
0004609211.tif 000008
【図８】
0004609211.tif 000009
【図９】
0004609211.tif 000010
【図１０】
0004609211.tif 000011